(57)【特許請求の範囲】
【請求項１】
籾摺部１、摺落米風選部２、揺動選別部３及び玄米揚穀機５を有する籾摺選別機において、玄米揚穀機５の穀粒揚穀側に備える揚穀ボックス３８と、前記揚穀ボックス３８内の揚穀穀粒から吸引除去した塵埃を吸引ファン１３に吸引搬送するにあたって、その搬送通路には揺動部吸塵風路４８と、風選部吸塵風路４９とをそれぞれ設けるものであって、揺動部吸塵風路４８は揺動選別板１５，１５，…を搭載する揺動ボックス２８における側板内面に断面凹型で前後に長い風路板を接合するよう構成し、揺動部吸塵風路４８の上側近傍には前記揺動選別板１５，１５，…を支持する揺動軸３０を軸架し、前記風選部吸塵風路４９の終端部に案内吸塵風路５４を接続し、摺落米風選部２の摺落米風選箱９における前側板９ｂの内側面上部に、案内吸塵風路５４を構成し、前記摺落米風選箱９の前側板９ｂに移動用把手５５付きの把手取付枠体５６を取り付けて、把手取付枠体５６を前記案内吸塵風路５４の内側あるいは外側に位置させ、前記把手取付枠体５６には開口部を形成して吸塵風が通過する構成とし、前記把手取付枠体５６には吸引ファン１３の吸引ケース部１３ａを取り付けて、風選部吸塵風路４９に送られた塵埃を案内吸塵風路５４，把手取付枠体５６の開口部を経て前記吸引ファン１３に流入することを特徴とする籾摺選別機の吸塵装置。
【発明の詳細な説明】
【０００１】
【発明の属する技術分野】
この発明は、籾摺選別機の吸塵装置の改良に関するものである。
【０００２】
【従来の技術】
籾摺部、摺落米風選部、揺動選別部及び玄米揚穀機からなる籾摺選別機において、玄米揚穀機上部に穀粒の揚穀される揚穀ボックスを設け、この揚穀ボックス内には揚穀穀粒から塵埃を吸引除去する吸塵風路を設け、この吸塵風路の塵埃を摺落米風選部を経由して吸引ファンに送り、機外に排出するものは公知である。
【０００３】
【発明が解決しようとする課題】
従来技術にあっては、玄米揚穀機の揚穀穀粒から吸塵風路に除去された塵埃を、揺動選別部内に備える排塵筒により、機体前部の風選部に送り排塵するものであるため、露出している排塵筒により籾摺選別機の全体のデザインが低下し、また、排塵筒がコスト高となるという問題点があった。
【０００４】
そこで、この発明は、玄米揚穀機の揚穀穀粒から吸引除去された塵埃を、機体内部に配置した吸塵風路により吸引ファンに送る構成として、デザイン面の改良を図ると共に、吸塵風路を揺動選別部内の特殊位置に配置することにより、揺動選別部の強度アップを図り、コスト低減を図りながら、揺動選別性能の安定化をも図ろうとするものである。
【０００５】
【課題を解決するための手段】
このような問題点を解決するために、請求項１の発明は、籾摺部１、摺落米風選部２、揺動選別部３及び玄米揚穀機５を有する籾摺選別機において、玄米揚穀機５の穀粒揚穀側に備える揚穀ボックス３８と、前記揚穀ボックス３８内の揚穀穀粒から吸引除去した塵埃を吸引ファン１３に吸引搬送するにあたって、その搬送通路には揺動部吸塵風路４８と、風選部吸塵風路４９とをそれぞれ設けるものであって、揺動部吸塵風路４８は揺動選別板１５，１５，…を搭載する揺動ボックス２８における側板内面に断面凹型で前後に長い風路板を接合するよう構成し、揺動部吸塵風路４８の上側近傍には前記揺動選別板１５，１５，…を支持する揺動軸３０を軸架し、前記風選部吸塵風路４９の終端部に案内吸塵風路５４を接続し、摺落米風選部２の摺落米風選箱９における前側板９ｂの内側面上部に、案内吸塵風路５４を構成し、前記摺落米風選箱９の前側板９ｂに移動用把手５５付きの把手取付枠体５６を取り付けて、把手取付枠体５６を前記案内吸塵風路５４の内側あるいは外側に位置させ、前記把手取付枠体５６には開口部を形成して吸塵風が通過する構成とし、前記把手取付枠体５６には吸引ファン１３の吸引ケース部１３ａを取り付けて、風選部吸塵風路４９に送られた塵埃を案内吸塵風路５４，把手取付枠体５６の開口部を経て前記吸引ファン１３に流入することを特徴とする籾摺選別機の吸塵装置とする。
【０００６】
【発明の作用及び効果】
請求項１の発明では、揺動ボックス２８の例えば右側板２８の内側面には、横断面凹型の前後に長い風路板を接合して揺動部吸塵風路４８を構成し、しかも、揺動軸３０を軸架する下方近傍に揺動部吸塵風路４８を沿わせるように配置したので、揺動選別板１５，１５，…の揺動支持状態が強固になって、揺動選別板１５，１５，…が規則正しく斜め上下に揺動して揺動選別性能が安定し、また、揺動部吸塵風路４８の揺動ボックス２８の一側板を利用して構成したので、構成部材を少なくしてコストの低減を図ることができる。
【０００７】
また、摺落米風選箱９の前側板９ｂを利用して塵埃を吸引ファン１３に送る案内吸塵風路５４を構成するので、構成部材を少なくしてコストの低減を図りながら塵埃を吸引ファン１３に送ることができ、また、摺落米風選箱９及び把手取付枠体５６から吸引ファン１３のケース部１３ａを取り外すと、把手取付枠体５６の開口部を通して案内吸塵風路５４，風選部吸塵風路４９の内部を点検できて、糠や塵埃の除去が容易となりメンテナンス性を向上させることができる。
【０００８】
【発明の実施の形態】
以下、図面に示すこの発明の実施例の形態について説明する。まず、図１に基づき籾摺選別機の全体構成について説明する。籾摺選別機は、籾摺部１，籾摺部１からの摺落米を風選する摺落米風選部２，摺落米風選部２での風選後の混合米を籾・玄米に分離選別する揺動選別部３，混合米揚穀機４及び玄米揚穀機５等により構成されている。
【０００９】
籾摺部１は、籾ホッパ６，籾摺ロ−ル７，７の内装されている籾摺室８等で構成されている。摺落米風選部２は、摺落米風選箱９，摺落米風選路１０，粃受樋１１，摺落米受樋１２，吸引フアン１３，排塵筒１４等により構成されている。次に、揺動選別部３について説明する。
【００１０】
多段の揺動選別板１５，１５，…には、板面に選別用の凹凸が形成されていて、縦方向の一側を高い供給側、他側を低い排出側とし、横方向の一方側を高い揺上側、反対側を低い揺下側として、揺動選別板１５の縦方向及び横方向共に傾斜した構成とし、揺動選別板１５，１５，…は揺動軸３０、揺動アーム３１等から構成されている揺動装置で、横方向斜め上下に往復揺動される構成である。
【００１１】
この揺動選別板１５，１５，…における供給側には供給口が構成されていて、混合米揚穀機４からの混合米が、分配供給樋１６及び分配ケース１７を経由して供給口から供給される構成である。揺動選別板１５，１５，…に供給された混合米は、粒形の大小，比重の大小，摩擦係数の大小等の関係で、比重の重い小形の玄米は揺上側に偏流分布し、また、玄米に比較して大きく比重の軽い籾は、揺下側に偏流分布し、また、その中間部には分離されない籾・玄米の混合米が分布しながら選別される。しかして、これらの選別穀粒は、揺動選別板１５の排出側に設けられている玄米仕切板１８及び籾仕切板１９で仕切られて取り出される。
【００１２】
取り出された玄米は、玄米取出樋２０，玄米流路２１，玄米揚穀機５を経て機外に取り出され、また、混合米は混合米流路２２，摺落米受樋１２，混合米揚穀機４，混合米ホッパ２４，分配供給樋１６，分配ケース１７を経て、揺動選別板１５，１５，…に供給されて再選別される。また、取り出された籾は、籾取出樋２５，籾流路２６，籾揚穀機２７を経て籾摺部１に揚穀還元されて、再度の籾摺がなされる構成である。
【００１３】
次に、籾摺選別機の作用について説明する。籾摺作業をする場合には、籾摺部１の籾ホッパ６に籾を供給し、籾摺選別機の回転各部を駆動する。次いで、籾ホッパ６から籾摺ロール７，７に籾を供給して籾摺し、摺落米を下方の摺落米風選路１０で風選する。軽い籾殻を吸引フアン１３，排塵筒１４を経て機外に排出し、比較的軽い粃粒は粃受樋１１に落下選別され、重い玄米及び籾の混合米は、摺落米受樋１２に落下選別される。
【００１４】
しかして、選別された混合米は、混合米揚穀機４，混合米ホッパ２４，分配供給樋１６及び分配ケース１７を経て、揺動選別板１５，１５，…に供給される。揺動選別板１５が横方向斜上下に往復揺動されると、混合米は粒形の大小、比重の大小、摩擦係数の大小等の関係で選別される。小形で比重の重い玄米は揺上側に偏流分布し、また、玄米に比較して大形で比重の軽い籾は揺下側に偏流分布し、また、その中間部には分離されない混合米が分布しつつ選別される。
【００１５】
揺動選別板１５，１５，…の排出側から流下した穀粒は、玄米仕切板１８及び籾仕切板１９で仕切られる。玄米仕切板１８で仕切られた玄米は、玄米取出樋２０，玄米流路２１及び玄米揚穀機５を経て機外に取り出される。また、玄米仕切板１８及び籾仕切板１９で仕切られた混合米は、混合米流路２２，混合米揚穀機４，混合米ホッパ２４，分配供給樋１６及び分配ケ−ス１７を経て、揺動選別板１５に供給されて再選別される。また、籾仕切板１９で仕切られた籾は、籾取出樋２５，籾流路２６及び籾揚穀機２７を経て籾摺部１に還元されて再度の籾摺がなされる。
【００１６】
次に、図２、図３に基づき、揺動選別部の機体構成について説明する。左・右側板２８ａ，２８ｂ、前・後側板２８ｃ，２８ｄを接合して、上面及び底面を開放した揺動ボックス２８を構成し、この左・右側板２８ａ，２８ｂ，前・後側板２８ｃ，２８ｄの屈折接合部枠体２９，２９，…により補強し揺動機体を構成している。
【００１７】
この揺動ボックス２８の左・右側板２８ａ，２８ｂには、揺動軸３０を軸架している。揺動軸３０は、クランクロッド３５等を介して左右の揺動アーム３１，３１を軸支し、揺動アーム３１，３１の上端部には、揺動選別板１５、１５、…の装着されている選別板枠３２を取り付け、揺動プーリ３３，ウエイト３４，クランクロッド３５等からなる揺動装置により、揺動アーム３１，３１を斜め上下に揺動する構成である。
【００１８】
揺動ボックス２８の後部には、昇降機型の玄米揚穀機５を取り付けている。この玄米揚穀機５はバケット３６，３６，…の多数取り付けられている揚穀ベルト３７が回転して、上方の揚穀ボックス３８に穀粒が揚穀される構成である。揚穀ボックス３８内には、図４に示すように、第１流下棚３９，第２流下棚４０、第３流下棚４１をジグザグ状に斜設して、揚穀された穀粒は第１流下棚３９から第２流下棚４０，第３流下棚４１を流下し、穀粒取出筒４２を経て機外に取り出される。第２流下棚４０の下方には、吸塵風路４３を配置し、揚穀ボックス３８の後側面下部には網目の張設した吸込み口３８ａを設けている。
【００１９】
しかして、吸込み口３８ａから吸引された風は、第３流下棚４１から流下した穀粒に対して、後側から前側に流れて吸塵し、吸塵風は吸塵風路４３を流れて、終端側から吸塵ホース４４に流れる構成である。そして、吸塵ホース４４の終端側には連結筒４４ａを取付け、後側板２８ｄに設ける孔２８ｆを介して後述の揺動部吸塵風路４８と連通する構成である。
【００２０】
従って、揚穀ボックス３８内に揚穀された穀粒は、第１流下棚３９，第２流下棚４０，第３流下棚４１を流下中に、穀粒と塵埃とが分離され、吸塵風路４３を流下中に塵埃が吸塵除去され、吸塵風路４３の終端から吸塵ホース４４を経て、揺動部吸塵風路４８まで吸塵される。
【００２１】
また、揚穀ボックス３８の第２流下棚４０の一部を、網や目抜き鉄板により砕米や籾殻の漏れる漏下板４５で構成すると、砕米や籾殻を吸引風で抜き取り、穀粒を良好に吸塵選別することができる。前記揺動ボックス２８における例えば右側板２８ｂの内側面には、横断面コ字型の長い風路板を前下がり状態に接合して揺動部吸塵風路４８を構成し、しかも、この揺動部吸塵風路４８を揺動軸３０の下方近傍に沿わせるように配置して、揺動ボックス２８を補強している。
【００２２】
しかして、前・後揺動軸３０の軸架状態が強固になり、揺動選別板１５，１５，…が規則正しく斜め上下に揺動して揺動選別性能が安定し、また、玄米揚穀機５の吸塵風路を揺動ボックス２８内に配置できて、揺動選別部３のデザインをスッキリしたものとすることができる。また、前下がり状態に接合することで吸塵ホース４４からの塵埃の引継ぎをより良くすることができる。
【００２３】
なお、揺動部吸塵風路４８の後端部側面に網（図示省略）を装着し、この網を介して玄米流路２１と連通し、玄米流路２１を流下中の玄米から塵埃を吸塵除去する構成としてもよい。ところで、摺落米風選箱９における例えば右側板９ａの内側面にも、横断面コ字型の前後に長い風路板を前上り状態に接合して、風選部吸塵風路４９を構成し、この風選部吸塵風路４９の後端部を前記揺動部吸塵風路４８の前端部に連通している。
【００２４】
そして、摺落米風選箱９に構成する風選部吸塵風路４９の後部を、低い前後方向に水平状の低位水平部４９ａとし、低位水平部４９ａ、及び、風選部吸塵風路４９の上方の摺落米風選路１０に対応する右側板９ａに、点検窓４６を開口し、点検蓋５０をヒンジ５０ａにより開閉自在に装着し、風選部吸塵風路４９及び摺落米風選路１０の側部を開閉できる構成とし、風選部吸塵風路４９の点検窓４６に対応する部分を着脱できる構成としている（図５、図６参照）。
【００２５】
しかして、点検蓋５０を開けて、風選部吸塵風路４９内の点検清掃をすることができる。また、混合米受樋１２の底板１２ａ及び粃受樋１１の底板１１ａを開口し、風選部吸塵風路４９の点検窓４６に対応する部分を取り外すると、これら受樋の残留穀粒が摺落米風選箱９の底面に落下し、点検窓４６を通して回収できる。また、混合米受樋１２の底板１２ａ及び粃受樋１１の底板１１ａを、レバー等（図示省略）により開閉自在に構成すれば混合米受樋１２及び粃受樋１１の点検清掃をすることができる。
【００２６】
次に、風選部吸塵風路４９の前端部と吸引ファン１３との接続構成について説明する。摺落米風選箱９の前側板９ｂの内面上部斜め方向にわたって風路構成板５３を接着して案内吸塵風路５４を構成する。その際、風路構成板５３は案内吸塵風路５４の風選部吸塵風路４９に近い側を上下方向に広い幅広部５４ａに、風選部吸塵風路４９に遠い側を幅狭部５４ｂになるよう接着している。幅広部の下端部に風選部吸塵風路４９の前端部を接続している。
【００２７】
摺落米風選箱９の前側板９ｂの上端部内面には、移動用把手５５の取り付けられている把手取付枠体５６を固着し、この把手取付枠体５６は摺落米風選箱９の横幅と略同じにして、案内吸塵風路５４の上方から嵌合できる構成とし、把手取付枠体５６の上面部には取付面５６ａを残して開口部５６ｂを形成し、下部も開放して、吸塵風路としている。
【００２８】
しかして、把手取付枠体５６を摺落米風選箱９の前側板９ｂの内側面上端部に、ボルト・ナット（図示省略）で固着すると、把手取付枠体５６は案内吸塵風路５４内に位置して開口部を吸塵風が通過し、また、把手取付枠体５６の取付面５６ａには吸引ファン１３の吸引ファンケース部１３ａを載置できて、ボルト・ナットにより吸引ファン１３を取り付けできる。また、案内吸塵風路５４，把手取付枠体５６の開口部を通過した吸塵風は、吸引ファン１３の吸塵風吸引部１３ｃに吸引され、排塵筒１４を経て機外に排出される構成である。
【００２９】
従って、玄米揚穀機５の吸塵風路４３に流入した吸塵風は、揚穀機吸塵風路４４、揺動部吸塵風路４８、風選部吸塵風路４９、案内吸塵風路５４、吸引ファン１３を経て機外に排出される構成である。このように、前述の通り吸引ファン１３までの風路構成を揺動部吸塵風路４８と風選部吸塵通路の２分割して接続するため、摺落米風選部２と選別部３それぞれに風路を組み付けることが可能になり、籾摺選別機内に風路を構成するものでありながら全体の製造工程を複雑なものにすることを防止することができる。また、揺動部吸塵風路４８と風選部吸塵風路４９との間には、点検窓４６等を備えることが可能になり、吸塵風路内の残米等を取り出しやすくなる。
【００３０】
一方、風選部吸塵風路４９を前述の通り構成したので、摺落米風選箱９の側板を利用して風選部吸塵風路４９及び案内吸塵風路５４を構成するので、構成部材を少なくして吸塵風路を構成でき、また、摺落米風選箱９から吸引ファンケース部１３ａを取り外すと、把手取付枠体５６の開口部を通して案内吸塵風路５４，風選部吸塵風路４９内を点検でき、糠や塵埃の除去ができてメンテナンスが容易になる。
【００３１】
なお、図７に示す通り吸引ファン１３の吸引ケース部１３ａの左・右吸引口部に、摺落米風選路１０の選別風吸引部１３ｂ，１３ｄと、風選部吸塵風路４９の吸塵風吸引部１３ｃ，１３ｅとを仕切る仕切板５８を左右に設けることで、吸引ファン１３の左右両吸引部より吸塵することができる。その際、風路構成板５３を前述のように、案内吸塵風路５４の風選部吸塵風路４９より近い側を上下方向に広い幅広部５４ａに、風選部吸塵風路４９より遠い側を幅狭部５４ｂになるよう接着することで、風選部吸塵風路４９より遠い側の吸引ケース部１３ａの吸引部１３ｃにおいても風選部吸塵風路４９より遠い側の吸引部１３ｅにおいても同様の吸引力を保つことが可能になるものである。
【図面の簡単な説明】
【図１】 籾摺選別機の全体の切断側面図
【図２】 要部の分解した斜視図
【図３】 要部を示す側面図
【図４】 揚穀ボックスの内部を示す図
【図５】 平面から見た要部の斜視図
【図６】 背面から見た要部の断面図
【図７】 側面から見た吸引ファンボックスと風路との接続を示す
【図８】 平面から見た吸引ファンボックスの断面図
【符号の説明】
１ 籾摺部
２ 摺落米風選部
３ 揺動選別部
４ 混合米揚穀機
５ 玄米揚穀機（穀粒揚穀機）
６ 籾ホッパ
７ 籾摺ロール
８ 籾摺室
９ 摺落米風選箱
１０ 摺落米風選路
１１ 粃受樋
１２ 摺落米受樋
１３ 吸引フアン
１４ 排塵筒
１５ 揺動選別板
１６ 分配供給樋
１７ 分配ケース
１８ 玄米仕切板
１９ 籾仕切板
２０ 玄米取出樋
２１ 玄米流路
２２ 混合米流路
２４ 混合米ホッパ
２５ 籾取出樋
２６ 籾流路
２７ 籾揚穀機
２８ 揺動ボックス
２９ 枠体
３０ 揺動軸
３１ 揺動アーム
３２ 選別板枠
３３ 揺動プーリ
３４ クランク軸
３５ クランクロッド
３６ バケット
３７ 揚穀ベルト
３８ 揚穀ボックス
３９ 第１流下棚
４０ 第２流下棚
４１ 第３流下棚
４３ 吸塵風路
４４ 吸塵ホース
４６ 点検窓
４８ 揺動部吸塵風路
４９ 風選部吸塵風路
５０ 点検蓋
５５ 移動用把手
５６ 把手取付枠体
５６ａ 取付面
５８ 仕切板
【図１】
0003921902.tif 000002
【図２】
0003921902.tif 000003
【図３】
0003921902.tif 000004
【図４】
0003921902.tif 000005
【図５】
0003921902.tif 000006
【図６】
0003921902.tif 000007
【図７】
0003921902.tif 000008
【図８】
0003921902.tif 000009